(57)【要約】      （修正有）【課題】自動的に木綿の縞房の水分を乾きまで絞ることができる省力型自動絞りモップの提供。【解決手段】モップ１の柄１１の表面に螺旋案内溝１１１を形成し、柄１１に対して可動なインナーパイプ３０及びアウトパイプ４０からなるスライドカバーを設けるとともに、アウトパイプ４０の位置よってインナーパイプ３０に設けた係止部品３５を螺旋案内溝１１１に進退させるように構成し、柄１１の先端の口部１３に木綿の縞房２０の先端を束ねて固定し、もう一方をインナーパイプ３０の先端に固定することにより、アウトパイプ４０を支持しながら柄１１を引くと、係止部品３５が螺旋案内溝１１１に係合してインナーパイプ３０が螺旋回動し、それに同期して木綿の縞房２０がねじり絞られる。【選択図】図１
2007236503.tif 000002
【特許請求の範囲】
【請求項１】
一種の省力型自動絞りモップの構造であり、該モップの構造とは主として一本の柄及び可動に柄を被って設けたスライドカバーを有し、その中において柄の表面の予め設けた箇所に螺旋案内溝が形成して、一木綿の縞房は先端がちょうど柄の先端とは束ねて固定して連動になり、後端がスライドカバーのインナーパイプと固着になり、スライドカバーのインナーパイプの予め設けた箇所にまた横向きに貫通して対称になる受容溝があり、該スライドカバーのアウトパイプと柄との間にある対称の受容溝において可動に横向きにスライドできる二係止部品が設けてあり、それによってアウトパイプを推すと可動に受容溝に設けた係止部品を横向きに内へ柄の表面にある螺旋案内溝内に引っ掛けて固定でき、柄を後へ引くと螺旋回動で後へスライドして移動させるとともに木綿の縞房の先端を連れて回転方式で後端へ接近させながら自動に木綿の縞房の水分を乾きに絞ることができ、逆に柄を前へ位置を移動するように推すとともにインナーパイプを連れて同期に作動させながら係止部品をアウトパイプとの引っ掛かりから離脱させると可動の受容状態に復帰することにより、柄が直線に作動する形でインナーパイプを貫通して使用に供するまで固定でき、モップとして地面を清掃できるものである。
【請求項２】
請求項1に記載した省力型自動絞りモップの構造であり、その中において、該螺旋案内溝とは柄と相対運動ができるインナーパイプの内壁リング面に設置しても螺旋のねじ山に沿って木綿の縞房を絞りながら回転できるものである。
【請求項３】
請求項1に記載した省力型自動絞りモップの構造であり、その中において、柄とは一柄及び引き出し方式で中空の柄に受容できる補助柄を有し、柄の先端に喇叭状の口部が形成してその表面に螺旋案内溝が形成するものである。
【請求項４】
請求項1に記載した省力型自動絞りモップの構造であり、その中において、インナーパイプの先端にある環状円錐部は後端にある平らの直立部との接続箇所に、二係止部品を可動に受容するための、横向きにパイプ壁を貫通して対称になる受容溝が設けてあるものである。
【請求項５】
請求項1または請求項3に記載した省力型自動絞りモップの構造であり、その中において、二係止部品とは可動に受容溝内に設けたスチール珠或いは円柱である。
【請求項６】
請求項1に記載した省力型自動絞りモップの構造であり、その中において、該インナーパイプの平らの直立部の末端にアウトパイプが落ちないように拡大形状になる止め縁が形成してあるものである。
【請求項７】
請求項2に記載した省力型自動絞りモップの構造であり、その中において、柄の表面に予め設けた長い螺旋案内溝の先端から柄の先端にある口部まで縦案内溝が形成したものである。
【請求項８】
請求項2に記載した省力型自動絞りモップの構造であり、その中において、柄の後端に空転状態を呈する保持部が設けてあるものである。
【発明の詳細な説明】
【技術分野】
【０００１】
本発明は一種のモップ構造に関するものであり、詳しく説明すると専ら一種の、自動絞りとの機能を有するモップの構造を指すものである。
【背景技術】
【０００２】
よってモップとは殆どの家庭で常備の基本的な清掃用具であり、従来のモップとは一種の長い柄の一端に房になって伸びた木綿の縞房が固着に束ねてあるようなものであるが、該伝統式モップを使用すると常に繰り返して洗って手で木綿の縞房を絞ってから継続に使用しなければならないため、操作上手のひらでしっかり木綿の縞を握ってから腕力で力を入れて木綿の縞に吸い付けた水分を乾きに絞る設計になり、モップの木綿の縞房を絞るには力も要るし、時間もかかって、且つ両手で木綿の縞房を洗ってから木綿の縞房を乾きに絞るので両手が汚い水に接触しなければならない。
【発明の開示】
【発明が解決しようとする課題】
【０００３】
上記のような伝統のモップの設計における欠点を見て多くの主婦が使用するのに対して後ずさりするため、従来の木綿の縞房を使用するモップにおける手で力を要れて絞るとの欠点に対して本発明人は苦心して創作した『省力型自動絞りモップの構造』を提出したのである。それによって実に有効に従来の構造における多々の技術課題が解決できるのである。
【課題を解決するための手段】
【０００４】
本発明において主としては一種の、両手で木綿の縞房を乾きに絞る省力型自動絞りモップの構造を提供する。上記の予期した目標を達成させるには、表面において螺旋案内溝が形成する柄に可動にスライドカバーを被せて連接し、柄の先端と木綿の縞房の先端とは束ねて固定する連動結合になり、スライドカバーのインナーパイプを介して木綿の縞房の後端と束ねて固定してモップ構造に構成し、そしてインナーパイプを横向きに貫通して対称になる受容溝内に可動に二係止部品を設けて、スライドカバーのアウトパイプと柄との間に横に設けた二係止部品は引くためのアウトパイプに推されると横向きに押し込まれて柄の表面にある案内溝の中に引っかかって位置が固定され、柄を後へ引くと螺旋回動で後へ位置が移動されるとともに木綿の縞房の先端が回転方式で後端へ接近すると自動に木綿の縞房の水分を絞ることができるものになるため、実に前進的な発明とも言える。
【発明の効果】
【０００５】
本発明の予期した構造の効果については図3乃至図5を以って更に説明する。
図3に示したものとはモップ構造（1）を常態での使用常態のイメージ図である。常態での使用状況の下では木綿の縞房（20）の前後端は完全に展開され、そしてアウトパイプ（40）の先端にある環状パイプ（41）において只内側のより大径の先端は受容溝（34）内にある係止部品（34）と些か寄り当たることだけ、更に内へ迫って螺旋案内溝（111）まで定位することができないため、柄（11）は直線に位置を移動して快速にインナーパイプ（30）を通ることができるのである。それから図4に示したように、アウトパイプ（40）のパイプ部（42）を保持して口部（13）方向へ押し進む場合、受容溝内にある係止部品（35）は環状パイプ（41）において内側のより小径の後端に押されて柄（11）の表面にある螺旋案内溝（111）内に定位するように係当たって、使用者は柄（11）の後端にある保持部を保持する他の一方の手で後へ柄（11）を引くことになり、該柄（11）は係止部品（35）の螺旋案内溝（111）に引っ掛かって定位になるとの設計に制限されるため、片っ方の手でアウトパイプ（40）を支持しながらもう一方の手で柄（11）を後へ引くと、該柄（11）は螺旋回動で後へ退くようになり、そして木綿の縞房（20）の先端は柄（11）の口部（13）に束ねて固着されるため、柄（11）が螺旋回動で後退する過程において同期に木綿の縞房（20）の先端を連れて回転姿勢で後端へ接近して、柄（11）が回転方式で所定の位置に後退したら木綿の縞房（20）を両手で絞ることなく、自動に水分が乾く効果に達成できるのである。
それから本発明人は更に思いやりに女性の使用者の腕力の不足に対して特に柄（11）の先端を縦案内溝（112）に設計させて女性の使用者は柄（11）を図4のような状態に引き下げたら、同じに木綿の縞房（20）の先端を地面に立てて体の重量で下へ押すと、木綿の縞房（20）が縦案内溝（112）に沿って直線に下へ押されることにより、木綿の縞房（20）の水分を充分に絞ることができる。
モップ構造（1）の木綿の縞房（20）の水分を乾きに絞ってから使用する場合、図6、図7に示したように、柄（11）を反対方向に前へ押すとインナーパイプ（30）を同期に作動させるため、インナーパイプ（30）内にある受容溝内に受容される係止部品（35）はアウトパイプ（40）の先端にある環状パイプ（41）の小径の後端との迫りかかりから脱出して再び可動状態に復帰し、柄は直線に作動して快速にインナーパイプ（30）を通ることができ、且柄の先端にある口部（13）とインナーパイプ（30）の先端にある環状円錐部（31）は図7に示したような定位での使用状態になると、再びモップを使って地面を清掃する動作が行われるのである。
本発明は柄（11）の表面に螺旋案内溝（111）を形成させることによって、またアウトパイプ（40）が移動するとインナーパイプの受容溝内に受容される係止部品（35）を螺旋案内溝（111）に当てて定位させるという設計に合せると、柄（11）が螺旋回動で後へ後退でき、そして同期に木綿の縞房（20）の先端を連れて螺旋方式で後端へ接近させると、より省力の方式で柄（11）を後へ引く過程において、木綿の縞房（20）の水分を自動に乾きに絞る効果に達し、完全に両手と木綿の縞房との接触は不要で省力且快速に木綿の縞房の水分を乾きに絞るという進歩的な効果を実現させるのである。
実は、本発明とは柄とインナーパイプとの間に設計した螺旋案内溝を利用して、両者を螺旋回動の軌道に沿うスライド移動方式との相対運動に形成させ、そして木綿の縞房の一端を固定にしながらもう一端を回転絞りとの動作にさせると、自動に木綿の縞房の水分を自動に絞ることができるので上記の条件の下で該螺旋案内溝とは、それと相対運動を行うインナーパイプの内壁の環状面に設置されても回転絞りとの動作が生ずることができるものである。
【発明を実施するための最良の形態】
【０００６】
本発明は一種の省力型自動絞りモップの構造に関するものであり、図1及び図2に示したように、本発明のモップ構造（1）は、一本の保持柄を有し、該保持柄とは柄（11）及び柄（11）を貫通して可動に伸縮できる補助柄（12）からなり、その中において、柱形状の柄（11）の先端は喇叭形状の口部（13）が形成して、口部（13）を横向きに貫通した止め孔（131）が設けてあり；柄の表面に口部に近寄る方向に予め設けた長い螺旋案内溝（111）が形成して、螺旋案内溝（111）の先端から口部（13）までの間を縦案内溝（112）の形態に設計して、柄（11）の後端には手で保持するための保持部（113）が設けてあり（掌の保持のために空転状態を呈する保持カバーに設けてもよい）、柄（11）の末端の小径段の表面にはアウトねじ山（14）が形成して、補助柄（12）を所定位置まで引き伸ばすと、回動機構（15）を介してアウトねじ山（14）と互いに締め付け合うため、任意に柄を使用したい長さまで調整できる効果を収める。
木綿の縞房（20）とは複数の分離状態の木綿の縞が集中してなり、木綿の縞房（20）の先端は房状に収束して柄（11）の先端の口部（13）内に受容され、また柱形状の固定機構（A）を介して横向きに止め孔（131）及び木綿の縞房（20）の先端を貫通すると木綿の縞房（20）の先端を柄（11）と同期に連動させることになる。
スライドカバーとは中空形状のインナーパイプ（30）及びアウトパイプ（40）からなり、その中において、該中空のインナーパイプ（30）は柄（11）とちゅうど可動に被せあう関係になり、可動に柄（11）の外側に被せて設けたインナーパイプ（30）の先端に環状円錐部（31）が形成して、環状円錐部（31）の頂き縁には内向きに係止リング溝（32）が形成して、係止リング溝（32）とは、木綿の縞房（20）の後端とインナーパイプ（30）とを固着関係にさせるように、木綿の縞房（20）の後端を囲む収束帯の固着に供するためのものである。
又、インナーパイプ（30）の先端にある環状円錐部（31）と後端にある平らの直立部（33）との接続箇所からパイプの壁を貫通する中空の柱形状は突出して伸びて、中空柱は横向きにインナーパイプの縦向きの軸心の対称になる受容溝（34）を貫通して、対称になる受容溝（34）内には其々可動に係止部品（35）が設けてあり、係止部品とは図に示したようなスチール珠（それとも前後端が円錐状になる円柱を用いてもよい）という実施様態でもよく、係止部品（35）は可動にインナーパイプ（30）の外部に設けたアウトパイプ（40）に制限されるため、受容溝（34）から脱出する虞が無くなり、前記の、インナーパイプ（30）と可動に被せあうようになる中空形状のアウトパイプ（40）においては、その先端にある環状パイプ部（41）によって受容溝（34）内にあるスチール珠の係止部品（35）の脱落を防止するのであり、環状パイプ（41）の後端にはパイプ部（42）が形成してあるため、使用者はそれを手に持って使うことになる。それからアウトパイプ（40）はインナーパイプ（30）の先端にある環状円錐部（31）及び後端にある平らの直立部（33）の末端に形成した拡大形状の止め縁（331）によって位置が制限されるため、アウトパイプ（40）は只インナーパイプ（30）に沿って距離が制限される直線の移動しかできなくなる。以上は本発明の省力型自動絞りモップの構造に関する詳細である。
【図面の簡単な説明】
【０００７】
【図１】本発明の省力型自動絞りモップの構造における構造爆発図
【図２】本発明の省力型自動絞りモップの構造における立体外観のイメージ図
【図３】本発明の省力型自動絞りモップの構造における使用状態のイメージ図
【図４】本発明の省力型自動絞りモップの構造において柄を後へ引くと同時に自動に木綿の縞房の水分を絞る使用状態のイメージ図
【図５】図4の状態から更に垂直に木綿の縞房の水分を絞る状態のイメージ図
【図６】本発明の省力型自動絞りモップの構造において図5から復帰する作動のイメージ図
【図７】本発明の省力型自動絞りモップの構造において図5から復帰する作動のイメージ図
【符号の説明】
【０００８】
モップ構造（1）                              柄（11）
螺旋案内溝（111）                            縦案内溝（112）
保持部（113）                                補助柄（12）
口部（13）                                  止め孔（131）
アウトねじ山（14）                          回転機構（15）
木綿の縞房（20）                        インナーパイプ（30）
環状円錐部（31）                            係止リング溝（32）
平らの直立部（33）                          受容溝（34）
係止部品（35）                              止め縁（331）
アウトパイプ（40）                          環状パイプ部（41）
パイプ部（42）                              固定機構（A）
【図１】
2007236503.tif 000003
【図２】
2007236503.tif 000004
【図３】
2007236503.tif 000005
【図４】
2007236503.tif 000006
【図５】
2007236503.tif 000007
【図６】
2007236503.tif 000008
【図７】
2007236503.tif 000009